(57)【要約】【課題】歌唱の様子を撮影した複数の動画情報を組み合わせた投稿情報の作成効率化を図る。【解決手段】本発明に係るカラオケ装置は、ユーザによる楽曲指定を入力部にて受け付ける楽曲指定処理と、指定された楽曲に対応する演奏情報を演奏部に演奏させるとともに、歌唱の様子を録画した動画情報を含む単位投稿情報を作成する録画演奏処理と、録画演奏処理の終了後、再度、録画演奏処理を実行するか否かをユーザに問合せ、再度の実行が指定された場合、前回の録画演奏処理と同じ楽曲について録画演奏処理を実行し、再度の実行が指定されなかった場合、録画演奏処理で作成された１または複数の単位投稿情報を含む投稿情報をホスト装置に送信する録画事後処理と、を実行可能とすることを特徴とする。【選択図】図１０
2015069114.tif 000002
【特許請求の範囲】
【請求項１】
演奏部と、制御部と、を備えたカラオケ装置であって、
前記演奏部は、演奏情報に基づく演奏を可能とし、
前記制御部は、楽曲指定処理と、録画演奏処理と、録画事後処理を実行可能とし、
前記楽曲指定処理は、ユーザによる楽曲指定を入力部にて受け付け、
前記録画演奏処理は、指定された楽曲に対応する演奏情報を前記演奏部に演奏させるとともに、歌唱の様子を録画した動画情報を含む単位投稿情報を作成し、
前記録画事後処理は、前記録画演奏処理の終了後、再度、前記録画演奏処理を実行するか否かをユーザに問合せ、再度の実行が指定された場合、前回の前記録画演奏処理と同じ楽曲について前記録画演奏処理を実行し、再度の実行が指定されなかった場合、前記録画演奏処理で作成された１または複数の単位投稿情報を含む投稿情報をホスト装置に送信する
カラオケ装置。
【請求項２】
前記制御部は、入力部にて受け付けた楽曲を予約テーブルに登録し、予約テーブルに登録された楽曲について、前記録画演奏処理、もしくは、指定された楽曲に対応する演奏情報を前記演奏部に演奏させる通常演奏処理を順次実行し、
前記録画事後処理において、再度の実行が指定された場合、予約テーブルに登録されている楽曲にかかわらず、前回の録画演奏処理に引き続き、再度の前記録画演奏処理を実行する割り込み処理を実行する
請求項１に記載のカラオケ装置。
【請求項３】
前記制御部は、前記入力部からの指示に基づいてユーザをログインユーザとしてログインさせ、当該ユーザのユーザ情報を取得し、
前記楽曲指定処理は、ログインユーザを対応付けた楽曲指定を可能とし、
前記録画演奏処理は、前記単位投稿情報に、楽曲を指定したログインユーザのユーザ情報の少なくとも一部を含めるとともに、再度の実行の指定の際、楽曲を指定するユーザをログインユーザの中から選択させる
請求項１または請求項２に記載のカラオケ装置。
【請求項４】
前記録画演奏処理は、前回までに行われた録画演奏処理において、楽曲を指定したログインユーザを選択の対象から除外する
請求項３に記載のカラオケ装置。
【請求項５】
前記録画事後処理で再度の実行が指定された場合、前に行われた前記録画演奏処理の動画情報を前記表示部に表示させる
請求項１から請求項４の何れか１項に記載のカラオケ装置。
【請求項６】
前記録画演奏処理は、歌唱の様子を録画している最中に、前記入力部から指定されたタイミングを含む指示情報を記録し、前記録画事後処理で再度の実行が指定された場合、前に行われた前記録画演奏処理において記録された指示情報を前記表示部に表示させる
請求項５に記載のカラオケ装置。
【請求項７】
指示情報は、録画情報に対する方向を含む
請求項６に記載のカラオケ装置。
【請求項８】
カラオケ装置に、楽曲指定処理と、録画演奏処理と、録画事後処理を実行させるカラオケ用プログラムであって、
前記楽曲指定処理は、ユーザによる楽曲指定を入力部にて受け付け、
前記録画演奏処理は、指定された楽曲に対応する演奏情報を演奏部に演奏させるとともに、歌唱の様子を録画した動画情報を含む単位投稿情報を作成し、
前記録画事後処理は、前記録画演奏処理の終了後、再度、前記録画演奏処理を実行するか否かをユーザに問合せ、再度の実行が指定された場合、前回の前記録画演奏処理と同じ楽曲について前記録画演奏処理を実行し、再度の実行が指定されなかった場合、前記録画演奏処理で作成された１または複数の単位投稿情報を含む投稿情報をホスト装置に送信する
カラオケ用プログラム。
【発明の詳細な説明】
【技術分野】
【０００１】
本発明は、演奏にあわせて歌唱を楽しむことのできるカラオケ装置、並びに、カラオケ装置にて実行可能なカラオケ用プログラムに関する。特に、歌唱並びに歌唱の様子を公開可能とするカラオケ装置、並びに、カラオケ用プログラムに関する。
【背景技術】
【０００２】
従来、楽曲の演奏に合わせて歌唱を楽しむカラオケ装置が知られている。現在、カラオケ装置では、歌唱を楽しむのみならず、歌唱の様子を録画した動画を、ネットワーク上に公開し、幅広いユーザに見て貰うといった投稿サービスが人気を集めている。
【０００３】
特許文献１には、カラオケにおいて、複数のユーザによる投稿サービス（コラボ）を実行可能とする動画情報配信システムが開示されている。この動画情報配信システムでは、カラオケ装置を利用して録画された動画情報をホスト装置にアップロードして公開し、公開された動画情報をコラボ相手となるユーザに配信し、さらなる録画情報を作成することで、１の楽曲によるコラボ動画を作成することを可能としている。
【０００４】
この特許文献１では、さらに、複数のユーザにて作成された録画情報を同時に表示させる際、録画情報間の組み合わせに応じた映像効果を適用することで、統一感のあるコラボ動画を作成することを可能としている。
【先行技術文献】
【特許文献】
【０００５】
【特許文献１】特開２０１２−２０９８５６号公報
【発明の概要】
【発明が解決しようとする課題】
【０００６】
特許文献１に開示された複数のユーザによる投稿サービスでは、ユーザが歌唱を行うことで作成した録画情報をホスト装置で公開した上で、次のユーザによる動画情報の作成を行うことが可能である。ホスト装置にて公開される動画情報は、広く一般に公開されるため、公序良俗、あるいは、動画情報中で使用禁止の商品などの問題をクリアしていることが必要とされる。そのためカラオケ装置からホスト装置にアップロードされた動画情報は、上述する問題をクリアしているかどうかアップロードされた動画情報毎に審査する必要がある。したがって、動画情報をホスト装置にアップロードした後、公開されるまでに数時間程度必要となる場合がある。
【０００７】
ところで、複数のユーザによる投稿サービスの利用形態として、カラオケボックスなどに集うユーザ間で、特許文献１に開示される複数の動画情報で構成されたコラボ動画を作成することが行われている。前述したようにコラボ動画を作成するためには、一度、ホスト装置に公開された動画情報を使用する必要があるため、次の動画情報の録画が可能となるには、前回行った動画情報が公開されることを待つ必要がある。したがって、例えば、４人によるコラボ動画を作成するためには、アップロード毎にサーバ側の処理作業の完了を待つ繰り返しを３回行う必要があり、１つのコラボ動画を作成するのに数時間待つ必要がある、あるいは、１日で完成に至らないことがあった。本発明は、同じカラオケ装置を使用して複数の動画情報で構成されたコラボ動画の作成を迅速に行うことを１つの課題としている。
【０００８】
特許文献１には、複数の動画情報（コラボ動画）に対して映像効果を適用することが開
示されている。コラボ映像に映像効果を適用することで、統一感のある映像とすることが可能となる。ところで、コラボ動画の作成時、ユーザにより、各動画情報間で、花束や商品などの小道具を使用する演出が行われることがある。ある動画情報の録画時、撮像範囲から小道具をフレームアウト（あるいはフレームイン）させ、別の動画情報の録画時、同じ小道具を撮像範囲にフレームイン（あるいはフレームアウト）させることで、コラボ動画上、当該小道具を受け渡しているかのような演出が可能となる。このような演出を行うには、小道具をフレームイン（あるいはフレームアウト）させるタイミング、並びに、コラボ動画上での動画情報の配置関係と小道具をフレームイン（あるいはフレームアウト）させる方向を考慮する必要がある。本発明は、コラボ動画を作成する際、このような演出を容易に行うことを１つの課題としている。
【課題を解決するための手段】
【０００９】
上述する課題を解決するため、本発明に係るカラオケ装置は、以下の構成を採用するものである。
演奏部と、制御部と、を備えたカラオケ装置であって、
前記演奏部は、演奏情報に基づく演奏を可能とし、
前記制御部は、楽曲指定処理と、録画演奏処理と、録画事後処理を実行可能とし、
前記楽曲指定処理は、ユーザによる楽曲指定を入力部にて受け付け、
前記録画演奏処理は、指定された楽曲に対応する演奏情報を前記演奏部に演奏させるとともに、歌唱の様子を録画した動画情報を含む単位投稿情報を作成し、
前記録画事後処理は、前記録画演奏処理の終了後、再度、前記録画演奏処理を実行するか否かをユーザに問合せ、再度の実行が指定された場合、前回の前記録画演奏処理と同じ楽曲について前記録画演奏処理を実行し、再度の実行が指定されなかった場合、前記録画演奏処理で作成された１または複数の単位投稿情報を含む投稿情報をホスト装置に送信する。
【００１０】
さらに本発明に係るカラオケ装置において、
前記制御部は、入力部にて受け付けた楽曲を予約テーブルに登録し、予約テーブルに登録された楽曲について、前記録画演奏処理、もしくは、指定された楽曲に対応する演奏情報を前記演奏部に演奏させる通常演奏処理を順次実行し、
前記録画事後処理において、再度の実行が指定された場合、予約テーブルに登録されている楽曲にかかわらず、前回の録画演奏処理に引き続き、再度の前記録画演奏処理を実行する割り込み処理を実行する。
【００１１】
さらに本発明に係るカラオケ装置において、
前記制御部は、前記入力部からの指示に基づいてユーザをログインユーザとしてログインさせ、当該ユーザのユーザ情報を取得し、
前記楽曲指定処理は、ログインユーザを対応付けた楽曲指定を可能とし、
前記録画演奏処理は、前記単位投稿情報に、楽曲を指定したログインユーザのユーザ情報の少なくとも一部を含めるとともに、再度の実行の指定の際、楽曲を指定するユーザをログインユーザの中から選択させる。
【００１２】
さらに本発明に係るカラオケ装置において、
前記録画演奏処理は、前回までに行われた録画演奏処理において、楽曲を指定したログインユーザを選択の対象から除外する。
【００１３】
さらに本発明に係るカラオケ装置において、
前記録画事後処理で再度の実行が指定された場合、前に行われた前記録画演奏処理の動画情報を前記表示部に表示させる。
【００１４】
さらに本発明に係るカラオケ装置において、
前記録画演奏処理は、歌唱の様子を録画している最中に、前記入力部から指定されたタイミングを含む指示情報を記録し、前記録画事後処理で再度の実行が指定された場合、前に行われた前記録画演奏処理において記録された指示情報を前記表示部に表示させる。
【００１５】
さらに本発明に係るカラオケ装置において、指示情報は、録画情報に対する方向を含む。
【００１６】
また本発明に係るカラオケ用プログラムは、
カラオケ装置に、楽曲指定処理と、録画演奏処理と、録画事後処理を実行させるカラオケ用プログラムであって、
前記楽曲指定処理は、ユーザによる楽曲指定を入力部にて受け付け、
前記録画演奏処理は、指定された楽曲に対応する演奏情報を演奏部に演奏させるとともに、歌唱の様子を録画した動画情報を含む単位投稿情報を作成し、
前記録画事後処理は、前記録画演奏処理の終了後、再度、前記録画演奏処理を実行するか否かをユーザに問合せ、再度の実行が指定された場合、前回の前記録画演奏処理と同じ楽曲について前記録画演奏処理を実行し、再度の実行が指定されなかった場合、前記録画演奏処理で作成された１または複数の単位投稿情報を含む投稿情報をホスト装置に送信する。
【発明の効果】
【００１７】
本発明のカラオケ装置、並びに、カラオケ用プログラムによれば、歌唱の様子を録画した動画情報を含む単位投稿情報を作成する録画演奏処理の実行後、再度、同じ楽曲について録画演奏処理を実行することとしている。このような構成により、同じカラオケ装置を使用するユーザによって、複数の単位投稿情報の集合体となる投稿情報をカラオケ装置側で迅速に作成して出力することが可能となる。作成されてホスト装置に対して出力された投稿情報は、ホスト装置において公開のための審査対象となるが、１つの投稿情報に含まれる複数の単位投稿情報をまとめて１回の審査で完了することが可能であるため、人の目視による審査などにおいても、審査の効率化を図れることとなり、集合体なる投稿情報が公開されるまでの期間を短縮することが可能となる。
【００１８】
また、本発明のカラオケ装置、並びに、カラオケ用プログラムによれば、投稿情報に含まれる動画情報間で小道具の受け渡しなどによる演出を行う場合、演出のタイミングを指示情報として記録、表示することで、演出を容易に行うことが可能となる。さらに、指示情報に演出が行われる方向（録画情報に対する方向）を記録、表示することで、演出のさらなる容易化が図られる。
【図面の簡単な説明】
【００１９】
【図１】従来の歌唱投稿システムにおける投稿の概要を説明するための図
【図２】本発明の実施形態に係るカラオケシステムの構成を示す図
【図３】本発明の実施形態に係るトップ画面を示す図
【図４】本発明の実施形態に係るユーザ情報のデータ構成を示す図
【図５】本発明の実施形態に係るユーザ情報の送受信を説明する図
【図６】本発明の実施形態に係るアクティブユーザトップ画面を示す図
【図７】本発明の実施形態に係る楽曲確認画面を示す図
【図８】本発明の実施形態に係るメイン処理を示すフロー図
【図９】本発明の実施形態に係る第１動画撮像中の様子を示す図
【図１０】本発明の実施形態に係る録画事後処理（継続の問合せ）の様子を示す図
【図１１】本発明の実施形態に係る録画事後処理（ユーザ指定）の様子を示す図
【図１２】本発明の実施形態に係る第２動画撮像中の様子を示す図
【図１３】本発明の実施形態に係る第３動画撮像中の様子を示す図
【図１４】本発明の実施形態に係る第４動画撮像中の様子を示す図
【図１５】本発明の実施形態に係る投稿情報（アップロード情報）のデータ構成を示す図
【図１６】本発明の実施形態に係る投稿情報の再生の様子を示す図
【図１７】本発明の実施形態に係るアクション指定画面を示す図
【図１８】本発明の実施形態に係る録画演奏処理におけるアクション指示の様子を示す図
【発明を実施するための形態】
【００２０】
本実施形態のカラオケ装置は、カラオケにおいてデュエットや合唱などを楽しむことのできる歌唱投稿システムに利用されることとしている。図１には、この歌唱投稿システムについて、従来から行われている投稿の概要が示されている。この図を用いてカラオケ投稿の流れを簡単に説明する。投稿情報中には、カラオケ装置を使用して歌唱したユーザの歌唱音声情報、並びに、カメラで撮影された映像情報を含む動画情報が使用される。
【００２１】
まず、歌唱者は、カラオケボックスなど、カラオケシステムが設置される場所で演奏にあわせた歌唱が行われ歌唱音声が記録される（ａ）。カラオケシステムは、カラオケ装置（別称「コマンダ」）、カラオケ装置から出力される歌詞映像、背景映像が表示されるモニタ、操作者からの操作をカラオケ装置に伝えるリモコン装置にて構成されている。歌唱音声は、カラオケ装置に内蔵されたハードディスクなどの記録部に第１投稿情報として記録される。
【００２２】
歌唱者は、記録された歌唱音声を確認するため、第１投稿情報の再生を行うこともできる（ｂ）。歌唱者が投稿を希望する場合、第１投稿情報は、ホスト装置にアップロードされ、インターネットを介して公開することが可能となる（ｃ）。インターネットを介して公開される投稿情報は、不特定のユーザを対象として広く一般に公開されるため、音声、映像に関する公序良俗上の問題、あるいは、動画情報中で使用禁止の商品が映像に含まれているなどの問題をクリアしたものである必要がある。そのため、ホスト装置にアップロードされた第１投稿情報中の動画情報は、管理者による審査、あるいは、管理プログラムによる審査を経た後、インターネット上に公開される。公開された第１投稿情報は、この歌唱者と一緒に歌唱を希望する歌唱者によりカラオケシステムでダウンロードされる（ｄ）。
【００２３】
ダウンロードされた第１投稿情報は、楽曲にあわせて再生することで内容を確認することもできる（ｅ）。ダウンロードされた第１投稿情報は、楽曲と共にカラオケ装置にて再生され、歌唱者は予め記録された第１投稿情報とのデュエットを楽しむことができる。さらに、第１投稿情報と一緒に歌唱を行った歌唱者の歌唱音声は、第２投稿情報としてカラオケ装置に記録される（ｆ）。記録された第２投稿情報は、第１投稿情報、並びに、楽曲と同期して再生することができ、歌唱者は自身の歌唱をデュエット形式で確認することができる（ｇ）。
【００２４】
歌唱者は、新たな投稿として第２投稿情報をホスト装置にアップロードすることができる。第２投稿情報は、第１投稿情報と併せて再生することができるものであるが、ホスト装置には第１投稿情報が保存されているため、第２投稿情報のみが送信される。第２投稿情報には、第１投稿情報と対応付けるため、第２投稿情報の識別情報が付与される（ｈ）。
【００２５】
ホスト装置に保存された第１投稿情報、第２投稿情報は、ユーザからの要請により、ＰＣ（パーソナルコンピュータ）あるいはカラオケシステムにダウンロードされ、第１投稿
情報、第２投稿情報、並びに楽曲情報に基づいて複数の歌唱者によるコラボレーション（略称「コラボ」とも呼ばれる）を楽しむことが可能となる（ｉ）。以上、第１投稿情報と第２投稿情報に基づくコラボレーションについて説明したが、（ｄ）、（ｆ）〜（ｈ）を繰り返し行うことで、複数人（２名以上）のコラボレーションが可能となる。このように歌唱投稿システムでは、その場に居合わせない相手ともデュエットや合唱を楽しむことができる。
【００２６】
ところで、このような歌唱投稿システムの利用について、カラオケボックス等に集うユーザ間（あるいは一人）で、上述した複数の投稿情報によるコラボレーションを行うことがある。例えば、友人の結婚を祝福するため、友人同士間でコラボレーションによる投稿情報を作成し、結婚する友人にプレゼントする場合などである。このような場合、図１で説明した歌唱投稿システムでは、一人のユーザが歌唱する毎にホスト装置に投稿情報をアップロードする必要があり、また、アップロードされた投稿情報が、次のコラボレーションのためダウンロード可能な状態になるには、前述した管理者などによる審査を待つ必要があった。通常投稿情報がアップロードされて、審査を経た後、公開されるまでには、数十分程度の時間が必要とされる。１つの審査時間は比較的、短い時間であるが、複数人がコラボレーションを行う場合、人数が多くなるにしたがって、長時間待つ必要がある。
【００２７】
本発明に係るカラオケ装置もしくはカラオケ用プログラムは、このように同じ席に集う（同じカラオケ装置を使用する）ユーザ間において、コラボレーションによる投稿作品を迅速に作成することを可能とすることを一つの課題とするものである。
【００２８】
図２は、本発明の実施形態に係る歌唱投稿システムで使用するカラオケシステムの構成を示したものである。本実施形態におけるカラオケシステムは、カラオケ装置２（コマンダ）と、リモコン装置１を含んで構成されている。なお、図１に示す例では、１台のカラオケ装置２に対して、リモコン装置１ａとリモコン装置１ｂ、２台のリモコン装置１が使用されている例である。これらリモコン装置１ａ、１ｂの構成は同一であるため、リモコン装置１として説明を行う。カラオケ装置２とリモコン装置１は、ＬＡＮ１００及びアクセスポイント１１０を利用してネットワークを形成するように接続されている。
【００２９】
カラオケボックスなどの店舗に設置されるカラオケ装置２は、楽曲を演奏するための演奏部として音響制御部２５を備えている。また、カラオケ装置２は、ユーザからの各種入力を受け付けるスイッチなどで構成されるカラオケ装置２側の入力部としての操作部２１を備える。カラオケ装置２は、操作部２１からの入力を解釈して制御部３０に伝達するインターフェイス２２を備える。また、カラオケ装置２は、各種情報を記憶するカラオケ装置側記憶部としてのＨＤＤ３２（ハードディスク）を備える。カラオケ装置２は、ＬＡＮ１００に接続してネットワークに加入するためのカラオケ装置側通信手段としてのＬＡＮ通信部２４インターフェイス部２４を備えている。
【００３０】
また、カラオケ装置２は、モニタ４１に対して歌詞映像、背景映像を表示させる映像再生手段を備える。この映像再生手段は、映像情報に基づいて映像を再生する映像再生部２９、再生する映像を一時的に蓄積するビデオＲＡＭ２８、再生された映像に対する歌詞テロップの重畳、映像効果を付与する映像制御部３１を備えて構成される。
【００３１】
さらに、このカラオケ装置２では、外部に接続されるモニタ４１以外に、タッチパネルモニタ３３に対して各種情報を表示することを可能としている。タッチパネルモニタ３３は映像制御部３１から入力された映像情報を表示する表示部３５と、タッチ入力された位置をインターフェイス２２に出力するタッチパネル３４が重畳されて構成されている。このタッチパネルモニタ３３は、カラオケ装置２の操作部、あるいは、リモコン装置１のタッチパネルモニタ１１などと同様、入力部として機能する。ユーザは、タッチパネルモニ
タ３３から楽曲を選択して、直接カラオケ装置２に予約をさせるなど、カラオケ装置２に対する各種操作を行うことが可能である。
【００３２】
さらに、カラオケ装置２は、各構成を統括して制御するためのＣＰＵ３０、各種プログラムを実行するにあたって必要となる情報を一時記憶するためのメモリ２７を備えて構成される。
【００３３】
このような構成にてカラオケ装置２は、各種処理を実行することとなるが、カラオケ装置２の主な機能として、楽曲指定処理、楽曲再生処理などを実行可能としている。楽曲指定処理は、ユーザからの指定に基づいて楽曲を指定、予約するための処理であってリモコン装置１と連携して実行される。ユーザの操作により、リモコン装置１などの入力部で指定された予約情報をメモリ２７中の予約テーブルに登録する。楽曲再生処理は、予約された楽曲を再生させる処理であって、楽曲演奏処理と歌詞再生処理とが同期して実行される処理である。
【００３４】
楽曲演奏処理は、楽曲情報に含まれる演奏情報に基づき、音響制御２５に演奏を実行させる処理である。音響制御部２５にて演奏された楽曲は、歌唱用マイク４４ａ、４４ｂから入力される歌唱音声と一緒にスピーカ４２から放音される。歌詞再生処理は、楽曲情報に含まれる歌詞情報をモニタ４１に表示させることで歌唱補助を行う処理である。この歌詞再生処理で表示される歌詞に、背景映像を重畳させて表示させる背景映像表示処理を実行することとしてもよい。
【００３５】
一方、リモコン装置１は、予約情報などカラオケ装置２に対して各種指示を送信するとともに、カラオケ装置２あるいはインターネット上に接続されたホスト装置５から各種情報を受信する。本実施形態では、ユーザインターフェイスとしてボタンなどの操作部１７と、タッチパネルモニタ１１を備えている。タッチパネルモニタ１１は、表示部１１ａとタッチパネル１１ｂを有して構成され、表示部１１ａに各種インターフェイスを表示するとともに、ユーザからのタッチ入力を受付可能としている。
【００３６】
さらにリモコン装置１は、楽曲検索に必要とされるデータベース、各種プログラム、並びに、プログラム実行に伴って発生する各種情報を記憶するリモコン側記憶部として、メモリ１４、そして、これら構成を統括して制御するためのリモコン側制御部を備えて構成される。リモコン側制御部には、ＣＰＵ１５、タッチパネルモニタ１１に対して表示する映像を形成する映像制御部１３、表示する映像情報を一時的に蓄えるビデオＲＡＭ１２、タッチパネルモニタ１１あるいは操作部１７からの入力を解釈してＣＰＵ１５に伝える操作処理部１８が含まれている。
【００３７】
また、リモコン装置１は、無線ＬＡＮ通信部１６によって、アクセスポイント１１０と無線接続されることで、ＬＡＮ１００によって構成されるネットワークに接続される。なお、各リモコン装置１は、特定のカラオケ装置２に対して事前に対応付けされている。リモコン装置１から出力される各種命令は、対応付けされたカラオケ装置２にて受信されることとなる。
【００３８】
このようなリモコン装置１の構成により、ユーザからの各種入力をタッチパネルモニタ１１、あるいは、操作部１７から受付けるとともに、映像情報をタッチパネルモニタ１１の表示により各種情報を提供することで、カラオケ装置２に対して楽曲予約などの各種指示を行うことが可能とされている。
【００３９】
カラオケ装置２には、歌唱の様子を撮影するための撮像手段としてカメラ４４が接続されている。カメラ４４からのカメラ映像は、映像入出力を担う映像制御部３１を介して、
記録部としてのＨＤＤ３２に記録するとともに、モニタ４１にリアルタイム表示することが可能である。さらに、モニタ４１にタイして、カメラ４４から入力される映像と同時に、投稿情報に含まれる動画情報を表示させることができる。図１２には、コラボする相手が２人の場合のモニタ４１の表示例が示されている。図１２に示されているように、表示領域Ｃ２には、カメラ４４から入力される映像信号がリアルタイムで表示され、表示領域Ｃ１には、以前に記録された動画情報に基づく映像が表示される。
【００４０】
図３は、本発明の実施形態に係るトップ画面、すなわち、リモコン装置１を起動した直後の画面を示す図である。本実施形態では、リモコン装置１の表示部１１に表示を行うことで、リモコン装置１を操作するユーザに対して各種情報が提供される。
【００４１】
本実施形態のカラオケシステムは、各リモコン装置１のタッチパネルモニタ１１から認証情報（後述するユーザ識別情報やパスワード）を入力することで、ログインすることが可能となっている。特に、本実施形態のカラオケシステムでは、複数のユーザをログインさせることを可能としており、ログインしたユーザ（ログインユーザ）に関する情報は画面上方に常時表示される。ログインしたユーザの分身像（アバター）を表示するためのログインユーザ欄１０３が設けられている。なお、分身像としては、人、キャラクターを模した像の他、図形や記号など各種形態を採用することができる。
【００４２】
また、アカウントを有していないユーザのためのゲストアイコン１０２、ユーザを切り替えるためのユーザ切り替えスイッチ１０１が表示されている。ログインしたユーザは、ログインユーザ欄１０３に表示される分身像を選択、あるいは、ユーザ切り替えスイッチ１０１を操作することで、自分のユーザ情報を利用した各種サービスを受けることが可能となる。また、アカウントを有していないユーザは、ゲストアイコン１０２を操作することで、選曲など一般的なサービスを受けることが可能となっている。なお、ユーザの切り替えの際には、パスワードなどを使用した認証を行うこととしてもよいが、認証を行うことなく簡易に切り替えることとしてもよい。
【００４３】
図４は、ユーザ毎にホスト装置５に記憶されているユーザ情報を説明するための図である。本実施形態では、ユーザ情報として、個人情報、マイうたテーブル、マイアーティストテーブル、履歴テーブルといった、ユーザに関する各種情報を含んで構成される。ユーザ情報は、ホスト装置５の記憶部５１に記憶されている。ユーザ情報には、ユーザがログインするための認証情報（ユーザ識別情報とパスワード）が含まれている。個人情報には、ユーザ名（実際の名前に限ったものでなく、ニックネームであってもよい）、性別、年齢、うた年齢、居住地、趣味などを含んで構成される。これら各種情報は、リモコン装置１、あるいは、インターネットなどのネットワークに接続された図示しないパーソナルコンピュータ、携帯情報端末などを使用し、ログインして設定することも可能である。リモコン装置１とカラオケ装置２との対応付け（通称、くくりつけ）が、予め完了していれば、リモコン装置１の操作部１７から入力された各種情報をカラオケ装置２へ送付し、カラオケ装置２からホスト５へログインしてもよい。
【００４４】
マイうたテーブルは、ユーザによって登録された楽曲を記憶するテーブルであって、楽曲識別情報、音程調整値、過去の採点情報（最高点、もしくは、過去複数回のもの）などを含んで構成されている。ユーザは、このマイうたテーブルに基づいて、過去に登録したお気に入りの楽曲を呼び出して予約、演奏することが可能となる。その際、登録した音程調整値を利用することで、自分の歌唱にあった音程で演奏（再生）を行うこともできる。
【００４５】
マイアーティストテーブルは、ユーザによって登録されたアーティスト（歌手）を記憶するテーブルであって、歌手識別情報を含んで構成されている。ユーザは、このマイアーティストテーブルに基づいて、登録したお気に入りのアーティストの楽曲（持ち歌、ある
いは、関連楽曲）を呼び出して予約、演奏することが可能となる。
【００４６】
履歴テーブルは、ユーザが過去に演奏した楽曲に関する各種情報を記録した情報であって、本実施形態では、過去に当該ユーザが予約することで演奏された楽曲について、楽曲の楽曲識別情報、演奏した日時を示す歌唱日時、採点情報などを含んで構成されている。ユーザは、この履歴テーブルに基づいて、過去に演奏した楽曲を呼び出して再度歌唱することが可能である。
【００４７】
図５は、このユーザ情報の送受信の様子を示した図である。カラオケ店舗に来店したユーザは、自己のユーザ識別情報とパスワードで構成された認証情報を入力、あるいは、リモコン装置１などに設けられたＩＣカードリーダでＩＣカードに記憶されている認証情報を読み取らせることで認証処理Ｓ１０１を実行する。カラオケ装置２あるいはリモコン装置１は、認証情報をホスト装置５に送信し（Ｓ１０２）、認証情報を受信したホスト装置５は記憶部５１に記憶されたデータベースから、該当するユーザのユーザ情報を抽出し（Ｓ１２１）、問い合わせのあったカラオケ装置２あるいはリモコン装置１に対して送信する（Ｓ１２２）。
【００４８】
ユーザ情報を受信したカラオケ装置２側では（Ｓ１０３）、受信したユーザ情報に基づいて、楽曲指定処理、楽曲再生処理など各種サービス処理を提供する（Ｓ１０４）。ユーザによりログアウトが要求される（Ｓ１０５）とサービス処理を中断し、サービス処理中に発生した各種履歴（ログ）、あるいは、ユーザによる設定変更を反映したユーザ情報をホスト装置５に送信する（Ｓ１０６）。ここで、ユーザ情報は、全ての情報を送信することの他、更新された差分だけを送信してもよい。ユーザ情報を受信したホスト装置５では（Ｓ１２３）、受信したユーザ情報に基づいて記憶部５１に記憶されたデータベースの更新を実行する（Ｓ１２４）。
【００４９】
以上、あるユーザが認証処理（ログイン処理）してから、ログアウトするまでの流れを説明したが、本実施形態のカラオケ装置２、リモコン装置１は、認証された複数人（認証ユーザ）が同時にログインした状態で使用することが可能となっている。図２で説明したユーザインターフェイスを用いることで、サービスを提供するユーザ（以下、「アクティブユーザ」という）を切り替えて使用することが可能となっている。
【００５０】
図５は、本発明の実施形態に係るアクティブユーザトップ画面を示す図である。この図に示されるように、複数人がログインした状態ではログインユーザ欄１０３にログインしたユーザの分身像１０３ａ、１０３ｂ、１０３ｅ（本実施形態では顔部分）が表示される。またログインユーザ欄１０３中、右端に背景がハイライト（白色）で示されるユーザは、アクティブユーザ１０３ｅ（Ａさん）であって、図に示す状態では、このアクティブユーザ１０３ｅに対するサービス、すなわち、アクティブユーザ１０３ｅのユーザ情報を利用したサービスが実行されている状態となっている。このアクティブユーザトップ画面では、「曲を探す」を選択することで、歌手名、楽曲名に基づく検索を行うことができる。
【００５１】
図６には、本発明の実施形態に係る楽曲確認画面が示されている。アクティブユーザとして楽曲を選択した場合、この楽曲確認画面にて、予約を行う楽曲に間違いがないか、楽曲名、歌手名、歌い出しなどを表示してユーザに確認させる。このとき、選択した楽曲に対して自分の歌唱できる音程（キー）が予め分かっている場合には、「音程設定」を変更することで演奏する際の音程調整値を設定することが可能となっている。音程設定右下の「変更」ボタンを操作することで、音程設定用の子画面が表示され音程調整値を設定することが可能である。
【００５２】
さらに、本実施形態のカラオケシステムは、歌唱投稿を行うためのオプション機能が備
えられ、そのため楽曲確認画面では、歌唱投稿に関する設定、具体的には、楽曲確認画面に表示されている楽曲について投稿を行うか否か、また、コラボレーション対象となる公開投稿情報の指定など、各種設定を行うことが可能となっている。ユーザは「オプション」を設定することで、歌唱投稿のための各種設定を行うことが可能となっている。オプション右下の「変更」ボタンを操作することで、設定用の子画面が表示され歌唱投稿に関する各種設定を行うことが可能である。
【００５３】
この楽曲確認画面にて「予約」ボタンの操作による選曲指示が入力されると、リモコン装置１からカラオケ装置２に対してアクティブユーザのユーザ識別情報、楽曲識別情報、音程調整値、歌唱投稿に関する設定などを含む予約情報が送信される。受信したカラオケ装置２では、予約情報を予約テーブルに追加して、予約テーブルに登録された楽曲を順次再生させるメイン処理を実行する。
【００５４】
図８には、本発明の実施形態に係るカラオケ装置２で実行されるメイン処理のフロー図が示されている。従来と同様、ホスト装置５が公開する投稿情報とコラボレーションを行うことも可能であるが、ここでは、カラオケ装置２内でコラボレーションによる投稿情報の作成に限定して説明を行う。
【００５５】
カラオケ装置２においてメイン処理が開始されると、メモリ２７等の記憶部に記憶されている予約テーブルをチェック（Ｓ２０１）して次に再生すべき楽曲の有無について判定が行われる。次に再生する楽曲がある場合（Ｓ２０２：Ｙｅｓ）、当該楽曲に関する予約情報の内、歌唱投稿に関する設定を参照し、歌唱投稿指定があるか否かが判定される。歌唱投稿指定が無い場合（Ｓ２０３：Ｎｏ）には、指定された楽曲を音響制御部２５に演奏させる通常楽曲再生処理（Ｓ２１６）が実行される。一方、予約情報中に歌唱投稿指定がある場合（Ｓ２０３：Ｙｅｓ）には、歌唱用マイク４４から入力される歌唱音声を録音するとともに、カメラ４５による歌唱の様子を撮像する録画演奏処理を含む一連の処理が開始される。
【００５６】
この録画演奏処理を含む一連の処理では、まず、動画数ｎが初期化（ｎ＝１）される（Ｓ２０４）。その後、予約情報中の楽曲識別情報について録画演奏処理が開始される。この録画演奏処理では、楽曲識別情報に対応する楽曲情報を再生させるとともに、歌唱用マイク４４から入力される歌唱音声とカメラ４５にて撮像される映像を動画情報として記録する。楽曲の再生中には、カメラ４５にて撮像される映像をモニタ４１に表示させる動画再生処理が実行される。図９には初回（ｎ＝１）の動画再生処理（Ｓ２０５）におけるモニタ４１の様子が示されている。モニタ４１の動画表示領域Ｃ１には、カメラ４５で撮像されている、現在、歌唱中のユーザ（ユーザＡ）の様子がリアルタイムで表示される。その際、動画表示領域Ｃ１は左右反転した鏡像表示となっており、モニタ４１を観察するユーザにとって違和感を抑えた映像となっている。さらに、モニタ４１には、歌詞Ｅが重畳表示されており、ユーザの歌唱補助を可能としている。
【００５７】
図１２〜図１４には、２回目以降の動画再生処理におけるモニタ４１の様子が示されている。録画演奏処理では、回を重ねるに連れ、前回までの動画再生処理で記録した動画情報の数が増えていく。図１２は、２回目（ｎ＝２）における動画再生処理の様子である。前回（１回目）の録画演奏処理で記録された動画情報が左側の動画表示領域Ｃ１に表示されるとともに、カメラ４５で撮像中の映像が右側の動画表示領域Ｃ２に表示される。このとき、撮像中の動画表示領域Ｃ２は鏡像表示であり、動画情報に基づく動画表示領域Ｃ１の再生は正転表示となっている。
【００５８】
図１３は、３回目（ｎ＝３）における動画再生処理について、また、図１４は４回目（ｎ＝４）における動画再生処理について、モニタ４１上の表示の様子を示したものである
。録画演奏処理の回を重ねるに連れ、前回までに記録した動画情報の数が増えていくことが見て取れる。
【００５９】
楽曲の再生が終了（Ｓ２０７：Ｙｅｓ）すると、それに伴い、録音、録画を行う録画演奏処理が終了する（Ｓ２０８）。録画演奏処理でＨＤＤ３２等の記録部に記録された録画情報は、投稿の対象とする前に、ユーザにより確認することが可能である。タッチパネルモニタ３３、あるいは、リモコン装置１等の入力部を使用して、プレビューが指定された場合（Ｓ２０９：Ｙｅｓ）には、記録された動画情報を再生するプレビュー処理が実行される（Ｓ２１０）。このプレビュー処理では、今回、記録した動画情報のみを再生することとしてもよいし、図１２〜図１４のようなレイアウトにて、前回までの動画情報を同時に再生させることとしてもよい。なお、本実施形態の録画演奏処理では、楽曲の演奏音は記録していないため、プレビュー処理では、対象となる楽曲情報を同期して再生させることで、歌唱時の状態を再現することを可能としている。
【００６０】
従来の歌唱投稿では、１つの動画情報を記録した後、当該動画情報を含む投稿情報がホスト装置へのアップロードされていた。本実施形態のカラオケ装置２では、１つの動画情報を記録した後、ユーザに対して、録画演奏処理を継続するか否かを問う録画事後処理を実行することとしている。図１０には、録画事後処理におけるモニタ４１の様子が示されている。図１０に示されるようにモニタ４１には、録画演奏処理の継続可否をユーザに問うユーザインターフェイスが表示されている。ユーザは、カラオケ装置２の操作部２１等の入力部を使用して、同じ楽曲について再度の録画演奏処理を行うか否かを選択することが可能である。なお、ユーザインターフェイスについては、モニタ４１を使用した形態のみならず、カラオケ装置２側のタッチパネルモニタ４１、あるいは、リモコン装置１のタッチパネルモニタ１１等を使用する形態としてもよい。
【００６１】
ユーザにより録画演奏処理を継続することが指定された場合（Ｓ２１１：Ｙｅｓ）、モニタ４１上には、図１１に示されるユーザインターフェイスが表示され、次に歌唱を行うユーザ、すなわち、録画演奏処理の対象となるユーザを選択することが可能である。このユーザインターフェイスには、現在、カラオケ装置２にログインしているユーザ名が表示され、ユーザは、カラオケ装置２の操作部２１等の入力部を使用して、ユーザを選択することが可能である。なお、まだログインしていないユーザを選択する場合には「新規ログイン」を指定することで、ログインするためのユーザインターフェイスを表示し、ログインユーザに追加することが可能である。本実施形態では、コラボレーションに既に参加したユーザは、ログインユーザの表記中から除外しており、異なるユーザ間でのコラボレーションを行うこととしている。同じユーザが複数回、録画演奏処理を行う場合も考慮し、既にコラボレーションに参加済みのユーザもログインユーザ中に表記して選択可能とすることとしてもよい。
【００６２】
ユーザの指定が完了後、動画数ｎを１増加させ（Ｓ２１５）、前回と同じ楽曲について、録画演奏処理を含む一連の処理が開始される。このように本実施形態では、同じカラオケ装置２を使用してコラボレーションを行う回数分、録画演奏処理を継続して行うことが可能であり、従来のようにアップロードした投稿情報の審査を待ってから次の録画演奏処理を行う必要が無い。また、楽曲の再生は予約テーブルに登録された順で行うことが通常であるが、本実施形態では、録画演奏処理を継続する場合、直ちに次の録画演奏処理を開始することが可能となっており、迅速なコラボレーションを行うことが可能となっている。すなわち、予約テーブルに次の楽曲の予約情報が登録されている場合であっても、次の録画演奏処理について割り込み処理が実行される形態となる。この割り込み処理は、必ずしも行う必要は無く、録画演奏処理の継続が指定される毎に、当該録画演奏処理に関する予約情報を予約テーブルに追記して登録することとしてもよい。
【００６３】
図１０に示すユーザインターフェイス上、録画演奏処理の継続が指定されなかった場合（Ｓ２１１：Ｎｏ）には、これまでのｎ回の録画演奏処理で記録されたｎ個の動画情報をホスト装置５にアップロードするか否かがユーザに問われる（インターフェイスは図示せず）。ユーザによりアップロードすることが選択された場合（Ｓ２１２：Ｙｅｓ）、カラオケ装置２は、生成されたｎ個の動画情報含んだ投稿情報を、通信部としてのＬＡＮ通信部２４を介しホスト装置５に送信するアップロード処理（Ｓ２１３）を実行する。
【００６４】
図１５には、本発明の実施形態に係る投稿情報（アップロード情報）のデータ構成が示されている。Ｓ２１３のアップロード処理では、各回の録画演奏処理で録画された録画情報を含む単位投稿情報を作成し、ｎ回分の単位投稿情報を投稿情報として、ホスト装置５にアップロードしている。各単位投稿情報は、メタ情報と実情報に分類され、メタ情報には録画演奏処理で使用した楽曲の楽曲識別情報と、録画日時、ユーザ識別情報、コラボＮｏ．を含んで構成される。ユーザ識別情報は、楽曲を予約したユーザ、あるいは、録画事後処理において指定されたユーザであって、録画の対象となったユーザに相当している。コラボＮｏ．は、何番目に録画演奏処理を行ったかを示す情報である。投稿情報を再生する際、このコラボＮｏ．によって、画面上のレイアウトが決定される。録画演奏処理の順番は、コラボＮｏ．による判定に代え、録画日時で判定することとしてもよい。
【００６５】
このように本実施形態のカラオケ装置２は、従来のようにホスト装置において投稿情報の審査を待つ必要が無く、カラオケボックス等に集う仲間同士で録画演奏処理を継続して行い、コラボレーションによる投稿情報を迅速に作成することが可能となる。また、投稿情報を受信したホスト装置５では、審査対象となる動画情報が一括してアップロードされるため審査効率の改善が図られる。また、投稿情報に含まれる複数の動画情報を１つの画面上にレイアウトした状態で審査を行う等、審査効率の向上を図ることも可能である。
【００６６】
ホスト装置５において管理者等による審査が完了した投稿情報は、インターネット上で公開され、ユーザによる視聴、あるいは、更なるコラボレーションに使用することが可能となる。図１５で説明したように投稿情報は、複数の単位投稿情報で構成されているため、コラボレーションを希望するユーザは、この投稿情報の内、１乃至複数の単位投稿情報を指定してコラボレーション、すなわち、次の録画演奏処理を行うことが可能である。
【００６７】
図１６には、本発明の実施形態に係る投稿情報の再生の様子が示されている。このモニタ４１上に再生される映像は、図１４に示される録画演奏処理で記録された投稿情報に基づいて再生されているものである。投稿情報の視聴は、カラオケシステムのみならず、インターネットに接続されたパーソナルコンピュータ、あるいは、スマートフォンやタブレット端末等の各種携帯情報端末上においても行うことが可能である。
【００６８】
このように複数のユーザが同じ場所に集ってコラボレーションを行う場合、動画情報間で花束やぬいぐるみ等の小道具を受け渡しすることが行うことが比較的容易である。動画情報の録画時、撮像範囲外へ小道具をフレームアウト（あるいはフレームイン）させ、別の動画情報の録画時、同じ小道具を撮像範囲にフレームイン（あるいはフレームアウト）させることで、コラボ動画上、当該小道具を受け渡しているかのような演出が可能となる。例えば、図１６の投稿情報の再生例では、ユーザＡが右方向に小道具をフレームアウトさせ、同じタイミングでユーザＢがフレームインする小道具を受け取ることで、あたかも画面上で小道具の受け渡しをしているかのような演出を行うことが可能である。
【００６９】
このような演出を行う場合、受け渡しするタイミングと受け渡しする方向が重要であり、タイミング良く受け渡しを行わない場合、演出効果が半減することが考えられる。また、図１２などで説明したように録画演奏処理時には、カメラ４５で撮像中のユーザは鏡像表示となっているため、どちらの方向から小道具がフレームインするか戸惑うことが考え
られる。次に説明する実施形態は、複数のユーザが同じ場所に集ってコラボレーションを行う場合の演出をより円滑に行うことを可能とする形態である。
【００７０】
図１７には、本発明の実施形態に係るアクション指定画面が示されている。本実施形態では、リモコン装置１を入力部として使用した形態であって、図９で説明した初回（ｎ＝１）の録画演奏処理時の様子である。タッチパネルモニタ１１には、カメラ４５で撮像された映像がリアルタイム表示されている。リモコン装置１を操作するユーザは、ユーザＡが小道具を受け渡すタイミングで、矢印で示される方向が付された８つのブロックの内、小道具を受け渡す指示を指定する。指示されたタイミングと方向は指示情報として記録され、次以降の録画演奏処理における表示に使用される。
【００７１】
図１８には、本発明の実施形態に係る録画演奏処理におけるアクション指示の様子が示されている。図１８の録画演奏処理は、図９の録画演奏処理に継続して行われた２回目の形態（図１２と同様）におけるモニタ４１の様子である。指示情報のタイミング到来が近づくと、タイミング指示表示Ｆ１と方向指示表示Ｆ２が画面上に表示される。録画演奏処理では、録画中の様子は鏡像（左右反転）表示されるため、図１８中、ユーザＡがフレームアウトさせた小道具は、ユーザＢの右方向からフレームインさせる必要がある。それを分かりやすくするため、方向指示表示Ｆ２が表示されている。また、タイミング指示表示Ｆ１は、２、１、０、とカウントダウンすることで、小道具をフレームインさせるタイミングをユーザに教示する。このように前の録画演奏処理で記録した指示情報に基づいて、小道具のフレームイン（アウト）のタイミングを知らせることで複数ユーザ間のコラボレーションにおける演出を容易なものとすることが可能となる。
【００７２】
本実施形態では、図１８に示すようにユーザＡとユーザＢ間での小道具のやり取りを説明したが、小道具のやり取りは、例えば、ユーザＡ、ユーザＢ、ユーザＣ、ユーザＤのように、複数のユーザ間で継続して行うこととしてもよい。また、小道具のやり取りは、録画演奏処理を行う順序で行う必要は無く、例えば、図１８中、ユーザＡからユーザＣに小道具を受け渡すなど適宜形態が採用できる。その場合、指示情報にはどのユーザ（あるいは動画表示領域Ｃ１〜Ｃ４）に対して小道具を受け渡すかを含めて指定可能としてもよい。あるいは、図１７のアクション指示画面で指定した方向に基づいて、自動的に受け渡し対象となる動画表示領域Ｃ１〜Ｃ４を決定し、決定した動画表示領域Ｃ１〜Ｃ４について録画演奏処理を行う際、指示情報を表示させることとしてもよい。
【００７３】
なお、本発明はこれらの実施形態のみに限られるものではなく、それぞれの実施形態の構成を適宜組み合わせて構成した実施形態も本発明の範疇となるものである。
【００７４】
本実施例において、投稿情報には、動画情報が含まれる。カラオケの投稿情報には、各ユーザの歌唱音声である、ユーザの音声情報も含まれることが多い。本発明のカラオケ装置では、ユーザの音声情報について、各ユーザの音声情報をミックスして１つの新たな音声情報として投稿情報（１つの動画情報＋各ユーザの歌唱音声をミックスして作成した新たな音声情報）に含ませてもよいし、又は、投稿情報に、１つの動画情報と、ユーザ毎の歌唱音声を記録した音声情報を構成（１つの動画情報＋各ユーザの音声情報）してもよい。
【符号の説明】
【００７５】
１ａ、１ｂ…リモコン装置、１１…タッチパネルモニタ、１１ａ…表示部、１１ｂ…タッチパネル、１２…ビデオＲＡＭ、１３…映像制御部、１４…メモリ、１５…ＣＰＵ、１６…無線ＬＡＮ通信部、１７…操作部、１８…操作処理部、１９…赤外線通信部、２…カラオケ装置（コマンダ）、２１…操作部、２２…操作処理部、２３…赤外線通信部、２４…ＬＡＮ通信部、２５…音響制御部、２７…メモリ、２８…ビデオＲＡＭ、２９…映像再生
部、３０…ＣＰＵ、３１…映像制御部、３２…ＨＤＤ（ハードディスク）、４１…モニタ、４２…スピーカ、４４ａ、４４ｂ…歌唱用マイク（マイクロホン）、４５…カメラ、１００…ＬＡＮ、１１０…アクセスポイント、１２０…ルータ、５…ホスト装置
【図１】
2015069114.tif 000003
【図２】
2015069114.tif 000004
【図３】
2015069114.tif 000005
【図４】
2015069114.tif 000006
【図５】
2015069114.tif 000007
【図６】
2015069114.tif 000008
【図７】
2015069114.tif 000009
【図８】
2015069114.tif 000010
【図９】
2015069114.tif 000011
【図１０】
2015069114.tif 000012
【図１１】
2015069114.tif 000013
【図１２】
2015069114.tif 000014
【図１３】
2015069114.tif 000015
【図１４】
2015069114.tif 000016
【図１５】
2015069114.tif 000017
【図１６】
2015069114.tif 000018
【図１７】
2015069114.tif 000019
【図１８】
2015069114.tif 000020